(57)【特許請求の範囲】
【請求項１】
脚の上端に設けたベースと、前記ベースに後傾動自在に連結された背支持フレームと、前記背支持フレームに取り付けられたバックフレームと、人の体圧が作用する可撓性のサポートシートと備えており、
前記サポートシートは、前記バックフレームを前から覆っていると共に、外周縁には帯状の縁部材が取付けられている一方、
前記バックフレームは、上下長手の左右のサイドメンバーと、前記左右のサイドメンバーの上端間に繋がった左右横長のアッパーメンバーと、前記左右のサイドメンバーの下端間に繋がった左右横長のロアメンバーとを有しており、各メンバーの外面に前記サポートシートの縁部材が嵌まる長溝を形している、
という構成であって、
前記バックフレームのロアメンバーは、後ろから見えないように横長部材で後ろ及び上から囲われており、前記横長部材の内部に、前記ロアメンバーの長溝から前記縁部材が抜け出るのを阻止するリブを前向きに突設している、
椅子。
【請求項２】
前記背支持フレームは、ベースに連結された左右のメイン部材と、前記メイン部材に連結された前記横長部材とを有しており、前記メイン部材には前記バックフレームのサイドメンバーが固定される支柱部を設けており、
請求項１に記載した椅子。
【発明の詳細な説明】
【技術分野】
【０００１】
本願発明は、背もたれ又は座若しくは両方をフレームに可撓性サポートシートが張られた構造にしている椅子に関するものである。
【背景技術】
【０００２】
椅子において、例えば背もたれを、前後開口のバックフレームにメッシュ状（或いはネット状）のサポートシートが張られた構成として、着座者の体圧をサポートシートで受ける椅子が存在している。また、座を上下に開口した座フレームにサポートシートが張られた構造にすることも行われている。
【０００３】
サポートシートをフレームに固定する方法は様々であり、例えば特許文献１には、座の構成として、サポートシートの外周縁に帯状の縁部材を固定する一方、座フレームの下面には縁部材が嵌まる長溝を形成し、座フレームをその下方に配置した座受けフレーム（座枠）にビスで締結することが記載れている。つまり、この特許文献１では、サポートシートの縁部材は座フレームと座受けフレームとに挟まれている。
【０００４】
サポートシートには着座者の体圧が掛かるため、サポートシートに作用したテンションにより、縁部材はフレームの長溝から抜け出る方向に引っ張られる。しかし、特許文献１では、縁部材は座フレームと座受けフレームとに挟まれているため、縁部材が外れることはない。
【先行技術文献】
【特許文献】
【０００５】
【特許文献１】特許第４０６１１４７号公報
【発明の概要】
【発明が解決しようとする課題】
【０００６】
さて、特許文献１では、縁部材を取り付ける長溝は座フレームの下面に形成されているため、サポートシートを取り付けるに当たっては、当該サポートシートに非常に強いテンションを掛けた状態で縁部材を長溝に嵌め込まねばならず、このためサポートシートの取付け作業が厄介である。また、特許文献１では座の全体が座フレームと座受けフレームとの二重構造になっているため、背もたれに適用すると構造が複雑化すると共に外観も良くない可能性がある。
【０００７】
本願発明はこのような現状に鑑み成されたものであり、主としてサポートシートの取付けの容易性を図りつつ抜け防止機能を確保し、更に、構造をシンプル化して美感も問題を改善せんとするものである。
【課題を解決するための手段】
【０００８】
本願発明に係る椅子は、脚の上端に設けたベースと、前記ベースに後傾動自在に連結された背支持フレームと、前記背支持フレームに取り付けられたバックフレームと、人の体圧が作用する可撓性のサポートシートと備えており、前記サポートシートは、前記バックフレームを前から覆っていると共に、外周縁には帯状の縁部材が取付けられている。
【０００９】
一方、前記バックフレームは、上下長手の左右のサイドメンバーと、前記左右のサイドメンバーの上端間に繋がった左右横長のアッパーメンバーと、前記左右のサイドメンバーの下端間に繋がった左右横長のロアメンバーとを有しており、これら各メンバーの外面に前記サポートシートの縁部材が嵌まる長溝を形している。
そして、前記バックフレームのロアメンバーは、後ろから見えないように横長部材で後ろ及び上から囲われており、前記横長部材の内部に、前記ロアメンバーの長溝から前記縁部材が抜け出るのを阻止するリブを前向きに突設している。
【００１０】
請求項２の発明は、請求項１において、前記背支持フレームは、ベースに連結された左右のメイン部材と、前記メイン部材に連結された前記横長部材とを有しており、前記メイン部材には前記バックフレームのサイドメンバーが固定される支柱部を設けている。
【発明の効果】
【００１１】
本願発明では、サポートシートの縁部材が嵌まる長溝はバックフレームの外面に形成されているため、サポートシートを取り付けるに当たってサポートシートには過大なテンションを掛ける必要はなく、このためサポートシートの取付け作業を容易に行える。そして、横長部材によって縁部材の抜けが防止されているため、サポートシートの外れ防止機能も万全である。
【００１２】
また、サポートシートは縁部材を介してフレームの外周部に取付けられているが、４つの辺を有する略四角形のバックフレームでは、４つの辺に縁部材を順番に取付けていくと、サポートシートにあまりテンションを掛けずに取付けることができる。従って、サポートシートは逆の手順で容易に取り外せるが、このことは、フレームの１つの辺の箇所で縁部材が外れるとサポートシートのテンションが緩んで全体がフレームから外れやすくなることを意味している。これを逆に見ると、１つの辺の箇所での縁部の抜けを確実化しておれば、他の３つの辺の箇所ではストッパー手段を講じなくてもサポートシートの抜け防止を確実化できると言える。
【００１３】
そして、本願発明では、バックフレームのうちロアメンバーの箇所での縁部材の抜けを防止することにより、サポートシートに弛みが生じることを防止して、サポートシートの抜けを確実化できるが、バックフレームのロアメンバーは横長部材で後ろから囲われているため、椅子全体としての美感の悪化は生じない。従って、本願発明では、美感を確保しつつサポートシートの抜けを確実化できる利点がある。
【００１４】
横長部材は、縁部材の抜け防止を目的とした専用品として配置することも可能であるが、請求項２のように、背支持フレームにおける左右のメイン部材を連結する補強部材として機能させることも可能である。この請求項２の発明では、強度メンバーとしての横長部材をストッパー部材に兼用するものであるため、それだけ構造を簡単化できる利点がある。
【図面の簡単な説明】
【００１５】
【図１】実施形態に係る椅子の外観図であり、（Ａ）は部分省略斜視図、（Ｂ）は側面図である。
【図２】サポートシートを省略した斜視図である。
【図３】（Ａ）は分離斜視図、（Ｂ）はバックフレームの平面図である。
【図４】バックフレームと背支持フレームとの関係を示す要部の分離斜視図である。
【図５】（Ａ）はサポートシートの正面図、（Ｂ）は（Ａ）のＢ−Ｂ視断面図、（Ｃ）は（Ａ）のうちＣで示した部分の拡大図である。
【図６】（Ａ）はサポートシートを張った状態での図２の VIA-VIA視断面図、（Ｂ）はサポートシートを張った状態での図２の VIB-VIB視断面図、（Ｃ）はサポートシートを張った状態での図２の VIC-VIC視断面図、（Ｄ）はサポートシートを張っていない状態での（Ｃ）と同じ部分の断面図である。
【図７】はサポートシートを張った状態での図２の VII-VII視断面図である。
【発明を実施するための形態】
【００１６】
次に、本願発明の実施形態を図面に基づいて説明する。本実施形態は、事務用に多用されている回転椅子に適用している。以下の説明では方向を特定するための「前後」「左右」の文言を使用するが、これら前後・左右の方向は、普通に着座した状態の人の向きを基準にしている。
【００１７】
(1).椅子の概要
まず、概要を説明する。図１に示すように、椅子は、主要要素として、脚支柱２（ガスシリンダ）を有する脚装置１、脚支柱２の上端に固定されたベース３、ベース３の上方に配置された座４、背もたれ５を備えている。脚１は放射状に延びる複数本の枝足を備えており、各枝足の先端にはキャスタを設けている（枝足は一部しか表示していない。）。ベース３に背支持フレーム６が後傾動自在に連結されており、この背支持フレーム６に背もたれ５が取付けられている。座４は背もたれ５が後傾すると後退動するが、本願発明との関連はないので説明は省略する。
【００１８】
背支持フレーム６は、左右一対のメイン部材７とその後端に連結された左右長手の横長部材８とで構成されており、メイン部材７は、その前端部を中心にして後傾するようにベース３に連結されている。横長部材８は、連結部材と言い換えることも可能である。メイン部材７はアルミダイキャスト製品を採用しているが、樹脂製とすることも可能である。横長部材８もアルミ製としているが、樹脂製でもよい。
【００１９】
本実施形態ではロッキング用のばね手段としてトーションバーを採用しており、トーションバーは背支持フレーム６の回動軸心と同心に配置されている。詳細は省略するが、メイン部材７の前端部は、ベース３に回転可能に保持された左右長手で筒状の回動軸に固定されており、回動軸の内部にトーションバーが配置されていて、トーションバーの端部が回転軸に相対回転不能に保持されている。
【００２０】
背もたれ５は、バックフレーム９の前面にメッシュ状で可撓性を有するサポートシート１０を張った構造になっている。バックフレーム９は樹脂の成形品であり、上下方向に長く延びる左右サイドメンバー１１と、左右サイドメンバー１１の上端に繋がったアッパーメンバー１２と、左右サイドメンバー１１の下端に繋がったロアメンバー１３とから成っている。従って、バックフレーム９は正面視で略四角形の形態を成している。そして、背支持フレーム６におけるメイン部材７の後端に支柱部７ａを設け、この支柱部７ａにバックフレーム９のサイドメンバー１１をねじで締結している。
【００２１】
(2).背支持フレーム及び背もたれの詳細
次に、背支持フレーム６と背もたれ５との詳細を説明する。バックフレーム９を構成するサイドメンバー１１は、着座者の腰部に当たる部分が前端となるように側面視で緩く湾曲しており、従って、サイドメンバー１１（或いは背もたれ５）はランバーサポート部を有している。また、アッパーメンバー１２及びロアメンバー１３は、平面視で前向き凹状に緩く湾曲している。
【００２２】
図４から容易に理解できるように、背支持フレーム６を構成するメイン部材７の支柱部７ａは平断面略Ｌ形の形態を成しており、その内部にバックフレーム９のサイドメンバー１１が重なっている。また、横長部材８はメイン部材７におけるコーナー部の内面に重なっており、ビス１５でメイン部材７に締結されている。
【００２３】
例えば図８〜１０に示すように、ジョイントフレーム１２は、平面視で前向き凹状に緩く湾曲していると共に前向き開口の溝型に形成されており、かつ、内部には多数の補強リブを設けている。なお、揺動フレーム８とジョイントフレーム１２とを一体構造品として製造することも不可能ではないが、これは加工が面倒であるのみならず、トーションバーの取り付けなど椅子の組み立ても頗る厄介になる。これに対して本実施形態では、揺動フレーム８の加工の容易性や椅子の組み立ての容易性を損なうことなく、揺動フレーム８とジョイントフレーム１２とから成るフレーム体を頑丈な構造品と成すことができる。
【００２４】
バックフレーム９の外周面は各メンバー１１，１２，１３の外面１１ａ，１２ａ，１３ａで構成されているが、図６〜７に示すように、各外面１１ａ，１２ａ，１３ａは平坦状になっており、各外面１１ａ，１２ａ，１３ａに長溝１７が形成されている。
【００２５】
他方、図５に示すように、サポートシート１０の外周部には、バックフレーム９のサイドメンバー１１に対応したサイド縁部材１８、バックフレーム９のアッパーメンバー１２に対応したアッパー縁部材１９、バックフレーム９のロアメンバー１３に対応したロア縁部材２０、バックフレーム９の下コーナー部に対応したメインコーナー縁部材２２及び補助コーナー縁部材２２が固定されている。縁部材はサポートシート１０の縁部に重ねて逢着しているが、溶着等の他の手段で固定してもよい。
【００２６】
各縁部材１８〜２２は３６０°折り返した状態で長溝１７に嵌め込んでおり、このためサポートシート１０に作用したテンションがサポートシート１０を縁部材１８〜２２から剥がすように作用することは殆どない。また、縁部材１８〜２２はサポートシート１０で隠れているため、バックフレーム９の外周面に長溝１７を形成した場合であっても、縁部材１８〜２２の端面が露出して美感が悪化することはない。
【００２７】
サポートシート１０は着座者の体圧でその面方向にテンションが掛かるが、サポートシート１０に対するテンションの作用方向と長溝１７の開口方向とが大きく相違するため、縁部材１８〜２２は長溝１７に抜け不能の状態に保持されている。例えば図６（Ａ）（Ｃ）（Ｄ）に示すように、バックフレーム９におけるサイドメンバー１１の前面は、背もたれ５の中心部に近づくほど後ろにずれるように後ろ向きに傾斜している。このため、サイドメンバー１１が体圧で後ろ向きに逃げるように変形することが許容されている。
【００２８】
図７に示すように、バックフレーム９のロアメンバー１３は、背支持フレーム６の横長部材８で後ろから囲われた状態になっている。このため、横長部材８はバックフレーム９と一体化したかのような外観を呈しており、美感に優れている。また、横長部材８の内部には、左右長手の横長リブ２３とこれにクロスした多数の縦長リブ２４を前向きに突設しており、横長リブ２３の先端をロアメンバー１３における長溝１７のやや下に位置させている。このため、サポートシート１０にテンションが掛かってロア縁部材２０に長溝１７から抜き外すような外力が作用しても、ロア縁部材２０の抜けが横長リブ２４で阻止される。
【００２９】
なお、横長リブ２４はサポートシート１０に当接させる必要はないのであり、サポートシート１０との間に多少の隙間が空いていてもよい。つまり、ロア縁部材２０が長溝１７から抜け出るのを阻止する程度の間隔が空いていたら足りる。
【００３０】
バックフレーム９へのサポートシート１０の取付けは、例えば、まず、アッパー縁部材１９をアッパーメンバー１２の長溝１７に嵌め込み、次いで、左右のサイド縁部材１８をサイドメンバー１１の長溝１７に順番に嵌め込み、それからコーナー縁部材２１，２２を嵌め込み、最後に、ロア縁部材２０をロアメンバー１３の長溝１７に嵌め込む、という手順で行われる。或いは、サイド縁部材１８→アッパー縁部材１９→コーナー縁部材２１，２２→ロア縁部材２０の順序でもよい。いずれにしても、１つの辺ずつ嵌め込むものであるため、サポートシート１０を過度に引っ張らなくても取付けできる。
【００３１】
そして、ロア縁部材２０が外されると、サポートシート１０の全体のテンションが緩んで他の縁部材も長溝１７から抜き外し易くなるが、本実施形態では、ロア縁部材２０の抜けが横長部材８で阻止されているため、サポートシート１０の全体としてのテンションが緩むことはなく、このため、各縁部材１８〜２２は抜け不能の状態にしっかりと保持される。
【００３２】
図５に示すように、サイド縁部材１９の上下中間部には、内向きに開口した切欠き２６を形成している。他方、図６（Ｃ）（Ｄ）に示すように、バックフレーム９のサイドメンバー１１には、切欠き２６に嵌まる係合爪２７が長溝１７に突出するように形成されている。係合爪２７には、サイド縁部材１８の嵌め込みをガイドするための傾斜面２７ａを形成している。
【００３３】
この切欠き２６と係合爪２７との関係により、サイド縁部材１８の抜けがより確実に防止される。切欠き２６と係合爪２７とは他のメンバーに設けることも可能である。また、１つのメンバーに複数箇所設けることも可能である。更に、切欠き２６と係合爪２７との関係は、特許文献１を先行技術文献として、縁部材の取付けの容易性を損なうことなく抜け防止を確実化することを主たる課題として独立した発明たり得るものである。
【００３４】
(4).サポートシートの利点
さて、バックフレーム９を構成するアッパーメンバー１２は平面視で前向き凹状（後ろ向き凸状）に湾曲しているが、これは、人がもたれ掛かったときに背中がアッパーメンバー１２に当たることを防止するためであり、特許文献１の背もたれも同様の形態になっていると解される。このようにアッパーメンバー１２が前向き凹状に湾曲していることは、サイドメンバー１１が三次元状態に変形していることを意味している。
【００３５】
他方、サポートシート１０は平坦な材料を裁断して製造するものであり、弾性変形を利用して三次元に（立体的に）変形させている。そして、サポートシート１０を三次元の形態にする手段としては、アッパー縁部材１９をアッパーメンバー１２の形状に合わせて湾曲した状態に製造して、これにサポートシート１０を逢着等で固定することが考えられる。しかし、これでは、サポートシート１０を弛ませた状態で査定せねばならないため作業が面倒であると共に、バックフレーム９に取り付けた状態で皺がよりやすいという問題がある。
【００３６】
これに対して本実施形態では、図５（Ａ）に示すように、サポートシート１０の上部は上向き凸状に湾曲した状態に形成し（原反から裁断し）、アッパー縁部材１９はシート材を弓なり形状に形成している。従って、サポートシート１０は平坦な状態のままでアッパー縁部材１９に固定することができて、固定作業を簡単に行える。そして、アッパー縁部材１９をアッパーメンバー１２に取り付けると、アッパー縁部材１９はアッパーメンバー１２の長溝１７にすんなりと嵌まって、サポートシート１０には均等にテンションが掛かる。従って皺がよることもない。
【００３７】
つまり、アッパー縁部材１９の長さがアッパーメンバー１２における長溝１７の長さと同じであることにより、サポートシート１０及びアッパー縁部材１９とも平坦な状態であっても、アッパーメンバー１２に取り付けると立体形状になるのである。この点、本実施形態の利点である。ロア縁部材２０とロアメンバー１３との関係も同様である。
【００３８】
(5).その他
本願発明は上記の実施形態の他にも様々に具体化できる。例えば、適用対象は回転椅子に限定されるものではなく、劇場用椅子やベンチのような固定式椅子にも適用できる。バックフレームは複数の部材から成る組み立て品であってもよい。
【符号の説明】
【００３９】
１  脚装置
３  ベース
４  座
５  背もたれ
６  背支持フレーム
７  メイン部材
７ａ  支柱部
８  横長部材
９  バックフレーム
１０  サポートシート
１１  サイドメンバー
１２  アッパーメンバー
１３  ロアメンバー
１７  長溝
１８  サイド縁部材
１９  アッパー縁部材
２０  ロア縁部材
２３  横長リブ
２６  切欠き
【図１】
0005562023.tif 000002
【図２】
0005562023.tif 000003
【図３】
0005562023.tif 000004
【図４】
0005562023.tif 000005
【図５】
0005562023.tif 000006
【図６】
0005562023.tif 000007
【図７】
0005562023.tif 000008